(57)【要約】      （修正有）【課題】半導体集積化が可能なマルチ基準チューナを得る。【解決手段】ゼロ中間周波数（ＺＩＦ）変換技術は、デジタル制御選択性フィルタリングおよびデジタル信号プロセッサ（ＤＳＰ）による信号欠陥処理と組み合わせられることにより、半導体集積化が可能なマルチ基準チューナを得ることができる。【選択図】図１Ａ
2008104157.tif 000002
【特許請求の範囲】
【請求項１】
装置であって、  一の受信された高周波（ＲＦ）信号を一のゼロ中間周波数（ＺＩＦ）信号に変換する一のＺＩＦダウンコンバータと、  前記ＺＩＦダウンコンバータに結合され、該ＺＩＦダウンコンバータの一のＩベクトル信号成分に関連する一の複合エネルギーレベルを低下させる一の同相（Ｉ）チャネルローパスフィルタと、  前記ＺＩＦダウンコンバータの一のＱベクトル信号成分に関連する一の複合エネルギーレベルを低下させる一の直角位相（Ｑ）チャネルローパスフィルタと、  を含む装置。
【請求項２】
前記Ｉチャネルローパスフィルタに結合され、前記Ｉベクトル信号成分をデジタル化することにより一のパラレルデジタル化Ｉベクトル信号を得る一の第１のアナログデジタルコンバータ（ＡＤＣ）と、  前記Ｑチャネルローパスフィルタに結合され、前記Ｑベクトル信号成分をデジタル化することにより一のパラレルデジタル化Ｑベクトル信号を生成する一の第２のＡＤＣと  をさらに含む、請求項１に記載の装置。
【請求項３】
前記パラレルデジタル化Ｉべクトル信号および前記パラレルデジタル化Ｑベクトル信号を一のシリアルデジタル化ＩベクトルおよびＱベクトル信号に変換する一のパラレルシリアルコンバータをさらに含む、請求項２に記載の装置。
【請求項４】
装置であって、  一の受信された高周波（ＲＦ）信号を一のゼロ中間周波数（ＺＩＦ）信号に変換する一のＺＩＦダウンコンバータと、  前記ＺＩＦダウンコンバータに有効に結合され、前記ＺＩＰ信号に信号処理動作を施す一のデジタル信号プロセッサ（ＤＳＰ）と、  を含む装置。
【請求項５】
前記ＤＳＰは、前記ＺＩＦダウンコンバータと共に一の共通基板に集積される、請求項４に記載の装置。
【請求項６】
前記ＺＩＦダウンコンバータは、  一の低雑音増幅器（ＬＮＡ）ステージと、  前記ＬＮＡステージに結合され、少なくとも１つの干渉チャネルを減衰させる一の可変選択性フィルタと、  前記可変選択性フィルタに結合され、一の望ましいチャネル信号を一のＩベクトル信号成分に直角位相変換する一の同相（Ｉ）ミキサと、一の望ましいチャネル信号を一のＱベクトル信号成分に直角位相変換する一の直角位相（Ｑ）ミキサとを含む一のＺＩＦ直角位相ミキサと、  を含む、請求項４に記載の装置。
【請求項７】
前記ＬＮＡステージに関連する一のゲインは、一の次のステージから受信された一の自動ゲイン制御信号を介しての自動制御が可能である、請求項６に記載の装置。
【請求項８】
前記Ｉミキサおよび前記Ｑミキサに結合され、前記Ｉミキサのための一の同相局部発振器（ＬＯ）信号を生成し、かつ、前記Ｑミキサのための一の直角位相ＬＯ信号を生成する一の直角位相発生器と、  前記直角位相発生器に結合され、該直角位相発生器に一のベースＬＯ信号を供給する一のＬＯと、  をさらに含む、請求項６に記載の装置。
【請求項９】
前記Ｉミキサに結合され、前記Ｉベクトル信号成分に関連する一の複合エネルギーレベルを低下させる一のＩチャネルローパスフィルタ、および、前記Ｑミキサに結合され、前記Ｑベクトル信号成分に関連する一の複合エネルギーレベルを低下させる一のＱチャネルローパスフィルタの少なくとも１つをさらに含む、請求項６に記載の装置。
【請求項１０】
前記Ｉチャネルローパスフィルタまたは前記Ｑチャネルローパスフィルタの少なくとも１つに関連する一のカットオフ周波数を調整するよう、前記Ｉチャネルローパスフィルタまたは前記Ｑチャネルローパスフィルタの少なくとも１つに結合される一のバンド幅アラインメントモジュールをさらに含む、請求項６に記載の装置。
【請求項１１】
前記Ｉチャネルローパスフィルタに結合され、前記Ｉベクトル信号成分をデジタル化する一の第１のアナログデジタルコンバータ（ＡＤＣ）、および、前記Ｑチャネルローパスフィルタに結合され、前記Ｑベクトル信号成分をデジタル化する一の第２のＡＤＣ、または、  前記Ｉチャネルローパスフィルタ、および、前記Ｑチャネルローパスフィルタに結合され、前記Ｉベクトル信号成分および前記Ｑベクトル信号成分をデジタル化する一の信号ＡＤＣ、および、該ＡＤＣに結合され、前記Ｉベクトル信号成分および前記Ｑベクトル信号成分を連続的なクロックサイクルに同期して交互にサンプリングする一のデュアルサンプルホールド回路、  の少なくとも１つをさらに含む、請求項９に記載の装置。
【請求項１２】
前記第１のＡＤＣ、前記第２のＡＤＣ、または、前記単一のＡＤＣの少なくとも１つに結合され、前記ＺＩＦ変換動作の結果生じる位相スペクトルアーチファクト、あるいは、一のデジタル化Ｉベクトル信号成分または一のデジタル化Ｑベクトル信号成分の少なくとも１つからのＺＩＦ変換動作の結果生じたゲインスペクトルアーチファクトの少なくとも１つを取り除く一の直角位相クロストーク補正モジュールをさらに含む、請求項１１に記載の装置。
【請求項１３】
前記直角位相クロストーク補正モジュールに結合され、前記デジタル化Ｉベクトル信号成分および前記デジタル化Ｑベクトル信号成分から一の残留周波数成分を除去する一のチャネル・デローテーションモジュールをさらに含む、請求項１２に記載の装置。
【請求項１４】
前記直角位相クロストーク補正モジュールに有効に結合され、前記デジタル化Ｉベクトル信号成分または前記デジタル化Ｑベクトル信号成分の少なくとも１つに対し一のフィルタリング動作を実行する一のチャネルフィルタを含む、請求項１２に記載の装置。
【請求項１５】
前記チャネルフィルタは、一の有限インパルス応答フィルタを含む、請求項１４に記載の装置。
【請求項１６】
前記チャネルフィルタに結合され、前記デジタル化Ｉベクトル信号成分と前記デジタル化Ｑベクトル信号成分とを一のデジタル中間周波数（ＩＦ）信号に再結合する一のデジタル直角位相モジュレータと、  前記デジタル直角位相モジュレータに結合され、前記デジタルＩＦ信号を一のアナログＩＦ信号に変換する一のデジタルアナログコンバータ（ＤＡＣ）と  をさらに含む、請求項１４に記載の装置。
【請求項１７】
前記チャネルフィルタに結合され、前記デジタル化Ｉベクトル信号を一の被処理アナログＩベクトル信号に変換する一の第１のデジタルアナログコンバータ（ＤＡＣ）と、  前記チャネルフィルタに結合され、前記デジタル化Ｑベクトル信号を一の被処理アナログＱベクトル信号に変換する一の第２のＤＡＣと、  前記被処理アナログＩベクトル信号と前記被処理アナログＱベクトル信号とを直角位相結合することにより、一のアナログ中間周波数出力信号を得る、一の直角位相モジュレータと、  をさらに含む、請求項１４に記載の装置。
【請求項１８】
前記チャネルフィルタに結合され、前記デジタル化Ｉベクトル信号成分と前記デジタル化Ｑベクトル信号成分との一のコンポジットを復調することにより、一のデジタルビデオＩＦ信号と一のデジタルオーディオＩＦ信号とを生成する、一のデジタル実装アナログ復調器と、  前記デジタル実装アナログ復調器に結合され、前記デジタルビデオＩＦ信号を一のアナログビデオＩＦ信号に変換する一の第１のデジタルアナログコンバータ（ＤＡＣ）、および、前記デジタル実装アナログ復調器に結合され、前記デジタルオーディオＩＦ信号を一のアナログオーディオＩＦ信号に変換する一の第２のＤＡＣと、  をさらに含む、請求項１４に記載の方法。
【請求項１９】
システムであって、  一の受信された高周波（ＲＦ）信号を一のＺＩＦ信号に変換する一のゼロ中間周波数（ＺＩＦ）ダウンコンバータと、  前記ＺＩＦダウンコンバータに有効に結合され、前記ＺＩＦ信号に信号処理動作を施す一のデジタル信号プロセッサ（ＤＳＰ）と、  前記ＺＩＦダウンコンバータに結合され、前記ＲＦ信号を受信する一の指向性アンテナと、  を含むシステム。
【請求項２０】
一の低雑音増幅器（ＬＮＡ）ステージと、  前記ＬＮＡステージに有効に結合されて一の高ＩＦ信号を生成し、一のミキサと、一の局部発振器とを含むアップコンバータと、  一のアップコンバージョンに続く不要信号をフィルタリングする一の高ＩＦフィルタと、  をさらに含む、請求項１９に記載のシステム。
【請求項２１】
前記ＬＮＡステージに結合されて、一のアップコンバージョン動作に先立ち少なくとも１つの干渉チャネルを減衰させる一の可変選択性フィルタをさらに含む、請求項２０に記載のシステム。
【請求項２２】
前記高ＩＦフィルタに結合され、一の望ましいチャネル信号を一のＩベクトル信号成分に直角位相変換する一の同相（Ｉ）ミキサと、一の望ましいチャネル信号を一のＱベクトル信号成分に直角位相変換する一の直角位相（Ｑ）ミキサとを含む一のＺＩＦ直角位相ミキサをさらに含む、請求項２０に記載のシステム。
【請求項２３】
前記アップコンバータは、チューナブルであり、前記高ＩＦフィルタまたは前記ＺＩＦ直角位相ミキサの少なくとも１つの周波数は、一の固定周波数である、請求項２２に記載のシステム。
【請求項２４】
前記アップコンバータの周波数は、一の固定周波数であり、前記高ＩＦフィルタまたは前記ＺＩＦ直角位相ミキサの少なくとも１つはチューナブルである、請求項２２に記載のシステム。
【請求項２５】
方法であって、  一のフィルタリングされる受信高周波（ＲＦ）信号を、一の同相（Ｉ）ベクトル信号と一の直角位相（Ｑ）ベクトル信号とを含む一のゼロ中間周波数（ＺＩＦ）信号に周波数変換する工程と、  一のデジタル化Ｉベクトル信号または一のデジタル化Ｑベクトル信号の少なくとも１つに対し一のデジタル信号プロセッサ（ＤＳＰ）によるチャネルフィルタリング動作を実行する工程と、  を含む方法。
【請求項２６】
一の次のアナログデジタルコンバータ（ＡＤＣ）ステージに提示された一の複合エネルギーレベルを低下させることにより該次のＡＤＣステージにおける量子化雑音を最小限にすべく、前記Ｉベクトル信号または前記Ｑベクトル信号の少なくとも１つを対称的にフィルタリングする工程をさらに含む、請求項２５に記載された方法。
【請求項２７】
前記Ｉベクトル信号に一のＡＤＣ動作を実行することにより、前記デジタル化Ｉベクトル信号を得る工程と、  前記Ｑベクトル信号に一のＡＤＣ動作を実行することにより、前記デジタル化Ｑベクトル信号を得る工程と、  さらに含む、請求項２６に記載の方法。
【請求項２８】
一の前ミキサステージまたは一の前フィルタステージの少なくとも１つにより導かれる一の直角位相アンバランスの結果生じたゲインアーチファクトまたは位相アーチファクトの少なくとも１つを取り除くべく、デジタル化Ｉベクトル信号またはデジタル化Ｑベクトル信号の少なくとも１つを直角位相補正する工程をさらに含む、請求項２５に記載の方法。
【請求項２９】
前記デジタル化Ｉベクトル信号または前記デジタル化Ｑベクトル信号の少なくとも１つをチャネル・デローテーションすることにより、一のゼロ周波数位置からの前記望ましいチャネルの一の周波数オフセットを取り除く工程をさらに含む、請求項２５に記載の方法。
【請求項３０】
前記デジタル化Ｉベクトル信号と前記デジタル化Ｑベクトル信号とを一の直角位相変調動作中に再結合することにより、一の複合デジタル信号を得る工程と、  前記複合デジタル信号に対し一のデジタルアナログ変換動作を実行することにより、一のアナログ中間周波数出力信号を得る工程と、  をさらに含む、請求項２５に記載の方法。
【請求項３１】
前記デジタル化Ｉベクトル信号に一のデジタルアナログ変換動作を実行することにより、一の被処理アナログＩベクトル信号を得、かつ、前記デジタル化Ｑベクトル信号に一のデジタルアナログ変換動作を実行することにより、一の被処理アナログＱベクトル信号を得る工程と、  前記被処理アナログＩベクトル信号と前記被処理アナログＱベクトル信号とを直角位相結合することにより、一のアナログ中間周波数出力信号を得る工程と、  をさらに含む、請求項２５に記載の方法。
【請求項３２】
前記デジタル化Ｉベクトル信号と前記デジタル化Ｑベクトル信号との一のコンポジットに対し一のデジタル実装復調動作を実行することにより、一のデジタルビデオ中間周波数（ＩＦ）出力信号と、一のデジタルオーディオＩＦ出力信号とを得る工程と、  前記デジタルビデオＩＦ出力信号および前記デジタルオーディオＩＦ出力信号に一のデジタルアナログ変換動作を実行することにより、一のアナログビデオＩＦ出力信号と、一のアナログオーディオＩＦ出力信号とを得る工程と、  をさらに含む、請求項２５に記載の方法。
【請求項３３】
関連情報を有する一のマシンアクセス可能な媒体を含む物品であって、前記情報は、アクセスされると、一のマシンに、  一の望ましいチャネルに関連する一の受信された高周波（ＲＦ）信号を、一の同相（Ｉ）ベクトル信号と、一の直角位相（Ｑ）ベクトル信号とを含む一のゼロ中間周波数（ＺＩＦ）信号に周波数変換する工程であって、  前記望ましいチャネルの第３および第５の調波周波数の領域におけるスペクトルエネルギーは、減衰される工程と、  前記デジタル化Ｉベクトルの一のバージョンおよび前記Ｑベクトル信号の一のデジタルバージョンに対し一のデジタル信号プロセッサ（ＤＳＰ）によるチャネルフィルタリング動作を実行する工程と、  を実行させる物品。
【請求項３４】
前記情報は、アクセスされると、一のマシンに、  少なくとも１つの干渉チャネルを除去することにより一のフィルタリングされた受信ＲＦ信号を得るべく、一の周波数変換プロセスに先立ち、前記ＲＦ信号を選択的にフィルタリングする工程と、    前記周波数変換プロセス内で、前記望ましいチャネルに調和して少なくとも１つの干渉成分を除去する工程と、  を実行させる、請求項３３に記載の物品。
【請求項３５】
前記情報は、アクセスされると、一のマシンに、  一の次のアナログデジタルコンバータ（ＡＤＣ）ステージに提示される一の複合エネルギーレベルを低下させることにより、前記次のＡＤＣステージにおける量子化雑音を最小限にすべく、前記Ｉベクトル信号または前記Ｑベクトル信号を対称的にフィルタリングする工程を実行させる、請求項３３に記載の物品。
【発明の詳細な説明】
【技術分野】
【０００１】  本願明細書中に記載される様々な実施形態は、概ね、高周波（ＲＦ）チューナに関連する装置、システム、および、方法を含む電子通信に関する。
【背景技術】
【０００２】  従来のチューナは、約５０から８６０メガヘルツ（ＭＨｚ）の範囲の地上または有線放送信号を受信するために用いることができる。このようなチューナは、シングルコンバージョンまたはダブルコンバージョン中間周波数（ＩＦ）技術を採用し得る。単一の変換チューナは、受信されたＲＦ信号と局所発振器（ＬＯ）信号とを単一のミキシングステージで混合することにより、ＩＦ信号を生成することができる。一般的なＩＦ周波数は、例えば、３６ＭＨｚくらいかもしれない。【０００３】  ダブルコンバージョンレシーバは、２つのミキシングステージを利用して、受信されたＲＦ信号とＩＦ信号とを変換してよい。第１のステージは、受信されたＲＦ信号を高ＩＦ信号にアップコンバータで変換することができる。高ＩＦ信号の周波数は、受信されたＲＦ信号の最大周波数より大きくてよい。そして、第２のミキシングステージは、高ＩＦ信号を出力ＩＦ信号に変換することができる。出力ＩＦ信号の周波数は、例えば約３６ＭＨｚであってよい。【０００４】  シングルコンバージョンの場合であっても、ダブルコンバージョンの場合であっても、出力ＩＦステージは、固定の周波数チャネルフィルタと可変ゲインＩＦ増幅器とを含む。固定周波数チャネルフィルタは、多くのフィルタタイプの中でも特に、表面弾性波（ＳＡＷ）フィルタを含んでよい。出力ＩＦステージは、復調器に接続されてよい。【０００５】  地上または有線放送信号は、アナログ変調またはデジタル変調されてよい。アナログ変調の場合、ＳＡＷフィルタは、準分離音声（ＱＳＳ）復調スキーム、または、ビジョンＩＦ（ＶＩＦ）変調スキームとの互換性がある。ＱＳＳ復調器は、ＩＦ領域に分離されるビデオおよび音声情報を要求し得る。ＩＦ信号は、２つの分離された出力を提供する共通のＳＡＷフィルタ内で分割されてよい。一方、ＩＦ信号は２つの並列ＳＡＷフィルタでフィルタリングされてよい。【０００６】  ＶＩＦ復調器は、完全なビデオ信号を処理することができる。ＶＩＦステージに関連するＳＡＷフィルタは、信号に関連する音声情報を適切に減衰すべく、特別な方法でＩＦ信号を変換してよい。【０００７】  ＱＳＳアナログの場合でもＶＩＦアナログの場合でも、ＩＦ  ＳＡＷフィルタは、非対称の波形整形を適用できる。非対称の波形整形は、ＱＳＳおよびＶＩＦに関連する残留側帯波変調モードと互換性をもつナイキストスロープを提供し得る。一方、デジタル変調信号は、対称のＩＦ  ＳＡＷフィルタを要求し得る。変調基準が異なることにより余儀なくされるＩＦステージのこれらの相違により、マルチ基準動作が可能なレシーバは、必然的にＩＦ  ＳＡＷフィルタを含むＩＦ経路を複製し得る。ＩＦ  ＳＡＷフィルタの半導体集積化は、付加的な課題も提示し得る。
【発明を実施するための最良の形態】
【０００８】  図１Ａおよび図１Ｂは、本発明の様々な実施形態に従う装置１００およびシステム１９０のブロック図を含む。ゼロ中間周波数（ＺＩＦ）変換技術は、デジタル制御選択性フィルタリングおよびデジタル信号プロセッサ（ＤＳＰ）による信号欠陥処理と組み合わせられることにより、半導体集積化が可能なマルチ基準チューナを得ることができる。【０００９】  装置１００は、ＺＩＦダウンコンバータ１０６を含んでよい。ＺＩＦダウンコンバータ１０６は、受信されたＲＦ信号１１０に対しＺＩＦ変換動作を実行することができる。【００１０】  ＺＩＦダウンコンバータ１０６は、低雑音増幅器（ＬＮＡ）ステージ１１１を含んでよい。ＬＮＡステージ１１１に関連するゲインは、次のステージから受信される自動利得制御（ＡＧＣ）信号１１２を介しての自動制御が可能である。ＺＩＦダウンコンバータ１０６は、可変選択性フィルタ１１３も含み得る。可変選択性フィルタ１１３は、ＬＮＡステージ１１１に結合されることにより、１つまたはそれ以上の干渉チャネルを減衰し得る。チャネルアラインメント制御信号１１４は、可変選択性フィルタ１１３の中心周波数および／またはバンド幅を設定することができる。【００１１】  他の実施形態では、デュアルコンバージョンチューナは、ＬＮＡステージ１１１に有効に結合されることにより高ＩＦ信号を生成するアップコンバータ１１５を含み得る。アップコンバータ１１５は、ミキサ１１６と局所発振器１７とを含んでよい。高ＩＦフィルタ１１８は、アップコンバータ１１５に結合されることにより、アップコンバージョンに続く不要な信号をフィルタリングすることができる。アップコンバータ１１５および高ＩＦフィルタ１１８は、可変選択性フィルタ１１３の代わりに、または、可変選択性フィルタ１１３に加えてデュアルコンバージョンチューナにおいて用いられることができる。後者の場合では、可変選択性フィルタ１１３は、アップコンバージョン動作に先立ち、１つまたはそれ以上の干渉チャネルを減衰してよい。【００１２】  いくつかの実施形態では、ＺＩＦ直角位相ミキサ１２０は、高ＩＦフィルタ１１８に結合されてよい。いくつかの実施形態では、アップコンバータ１１５は、チューナブルであってよく、高ＩＦフィルタ１１８、ＺＩＦ直角位相ミキサ１２０、または、両方の周波数は、固定周波数であってよい。いくつかの実施形態では、アップコンバータ１１５の周波数は、固定周波数であってよく、高ＩＦフィルタ１１８、ＺＩＦ直角位相ミキサ１２０、または、両方の周波数は、チューナブルであってよい。【００１３】  ＺＩＦ直角位相ミキサ１２０は、先に述べたように、可変選択性フィルタ１１３、または、高ＩＦフィルタ１１８に結合されてよい。ＺＩＦ直角位相ミキサ１２０は、同相（Ｉ）ミキサ１２２、および、直角位相（Ｑ）ミキサ１２４を含んでよい。Ｉミキサ１２２およびＱミキサ１２４は、望ましいチャネル信号をＩベクトル信号成分およびＱベクトル信号成分にそれぞれ直角位相変換してよい。【００１４】  直角位相発生器１３０は、Ｉミキサ１２２およびＱミキサ１２４に結合されてよい。直角位相発生器１３０は、Ｉミキサ１２２のための同相ＬＯ信号と、Ｑミキサ１２４のための直角���相ＬＯ信号とを生成してよい。ＬＯ１３２は、直角位相発生器１３０に結合されることにより、直角位相発生器１３０にベースＬＯ信号を供給することができる。【００１５】  Ｉチャネルローパスフィルタ１３６は、Ｉミキサ１２２に結合されることにより、Ｉベクトル信号成分に関連する複合エネルギーレベルを低下させる。Ｑチャネルローパスフィルタ１３８は、Ｑミキサ１２４に結合されることにより、Ｑベクトル信号成分に関連する複合エネルギーレベルを低下させてよい。バンド幅アラインメントモジュール１４０は、Ｉチャネルローパスフィルタ１３６、Ｑチャネルローパスフィルタ１３８、または、両方に結合されてよい。バンド幅アラインメントモジュール１４０は、Ｉチャネルローパスフィルタ、Ｑチャネルローパスフィルタ、または、両方に関連するカットオフ周波数を調整することもできる。【００１６】  図１Ｂに戻り、装置１００は、第１のアナログデジタルコンバータ（ＡＤＣ）１４４も含み得る。第１のＡＤＣ１４４は、続きのブロック１４２において、Ｉチャネルローパスフィルタ１３６に結合されることができる。第１のＡＤＣ１４４は、Ｉベクトル信号成分をデジタル化することもできる。第２のＡＤＣ１４６は、続きのブロック１４３において、Ｑチャネルローパスフィルタ１３８に結合されることができる。第２のＡＤＣ１４６は、Ｑベクトル信号成分をデジタル化することができる。いくつかの実施形態では、単一のＡＤＣ１４８は、第１のＡＤＣ１４４および第２のＡＤＣ１４６に代わり、Ｉチャネルローパスフィルタ１３６、および、Ｑチャネルローパスフィルタ１３８の両方に結合されてよい。ＡＤＣ１４８は、Ｉベクトル信号成分およびＱベクトル信号成分のどちらもデジタル化することができる。後者の場合、デュアルサンプルホールド回路（図示せず）は、ＡＤＣ１４８に結合されて、おそらく連続的なクロックサイクルと一致するＩベクトル信号成分およびＱベクトル信号成分を交互にサンプリングすることができる。【００１７】  いくつかの実施形態では、デジタル化Ｉベクトル信号成分は、パラレルデジタル化Ｉベクトル信号１４９のような並列フォーマットで、第１のＡＤＣ１４４から、または、単一のＡＤＣ１４８から出力されることができる。同様に、デジタル化Ｑベクトル信号成分は、パラレルデジタル化Ｑベクトル信号１５０のような並列フォーマットで、第２のＡＤＣ１４６から、または、単一のＡＤＣ１４８から出力されることができる。【００１８】  パラレルシリアルコンバータ１５１は、パラレルデジタル化Ｉベクトル信号１４９およびパラレルデジタル化Ｑベクトル信号１５０をシリアルデジタル化ＩベクトルおよびＱベクトル信号１５２に変換してよい。【００１９】  装置１００は、ＺＩＦダウンコンバータ１０６に有効に結合されるデジタル信号プロセッサ（ＤＳＰ）１５５をさらに含み得る。いくつかの実施形態では、ＤＳＰ１５５は、ＺＩＦダウンコンバータ１０６と共に共通の基板に集積されることができる。【００２０】  ＤＳＰ１５５は、直角位相クロストーク補正モジュール１５６を含んでよい。直角位相クロストーク補正モジュール１５６は、第１のＡＤＣ１４４、第２のＡＤＣ１４６、または、単一のＡＤＣ１４８に���合されることができる。直角位相クロストーク補正モジュール１５６は、ＺＩＦ変換動作の結果生じる望ましくないアーチファクトを除去することができる。望ましくないアーチファクトは、位相スペクトルアーチファクト、ゲインスペクトルアーチファクト、または、両方を含み得る。望ましくないアーチファクトは、デジタル化Ｉベクトル信号成分、デジタル化Ｑベクトル信号成分、または、両方に含まれることもある。【００２１】  装置１００は、チャネル・デローテーションモジュール１６０も含み得る。チャネル・デローテーションモジュール１６０は、直角位相クロストーク補正モジュール１５６に結合されてよい。チャネル・デローテーションモジュール１６０は、デジタル化Ｉベクトル信号成分、および、デジタル化Ｑベクトル信号成分から、残留周波数成分を除去してよい。【００２２】  チャネルフィルタ１６２は、直角位相クロストーク補正モジュール１５６に有効に結合されることにより、デジタル化Ｉベクトル信号成分、デジタル化Ｑベクトル信号成分、または、両方に対しフィルタリング動作を実行することができる。チャネルフィルタ１６２は、多くのフィルタタイプの中でも特に、有限インパルス応答フィルタを含んでよい。【００２３】  いくつかの実施形態では、装置１００は、チャネルフィルタ１６２に結合されるデジタル直角位相モジュレータ１６６をさらに含んでよい。デジタル直角位相モジュレータ１６６は、デジタル化Ｉベクトル信号成分とデジタル化Ｑベクトル信号成分とをデジタル中間周波数（ＩＦ）信号に再結合することができる。デジタルアナログコンバータ（ＤＡＣ）１６８は、デジタル直角位相モジュレータ１６６に結合されてよい。ＤＡＣ１６８は、デジタルＩＦ信号を外部復調器を用いた復調が可能な第１のアナログＩＦ出力信号１６９に変換してよい。【００２４】  いくつかの実施形態では、装置１００は、チャネルフィルタに結合された第１のＤＡＣ１７０も含み得る。第１のＤＡＣ１７０は、デジタル化Ｉ−ベクトル信号を被処理アナログＩベクトル信号に変換させてよい。第２のＤＡＣ１７１は、デジタル直角位相変調器に結合されてもよい。第２のＤＡＣ１７１は、デジタル化Ｑベクトル信号を被処理アナログＱベクトル信号に変換してよい。直角位相変調器１７２は、第１のＤＡＣ１７０および第２のＤＡＣ１７１に結合される。直角位相変調器１７２は、被処理アナログＩベクトル信号および被処理アナログＱベクトル信号を直角位相結合することにより、第２のアナログＩＦ出力信号１７３を得ることができる。【００２５】  いくつかの実施形態では、装置１００は、チャネルフィルタ１６２に結合されるデジタル実装アナログ復調器１７４も含み得る。デジタル実装アナログ復調器１７４は、デジタル化Ｉベクトル信号成分とデジタル化Ｑベクトル信号成分とのコンポジットを復調することにより、デジタル化ビデオＩＦ信号およびデジタル化オーディオＩＦ信号を生成することができる。第１のＤＡＣ１７６は、デジタル実装アナログ復調器１７４に結合されてよい。第１のＤＡＣ１７６は、デジタル化ビデオＩＦ信号をアナログビデオＩＦ信号１７７に変換してよい。第２のＤＡＣ１７８は、デジタル化実装アナログ復調器１７４に結合されてよい。第２のＤＡＣ１７８は、デジタル化オーディオＩＦ信号をアナログオーディオＩＦ信号１７９に変換してよい。【００２６】  図１Ａに戻り、さらなる実施形態では、システム１９０は、１つまたはそれ以上の装置１００を含んでよい。システム１９０は、アンテナ１９２も含み得る。アンテナ１９２は、いろいろなタイプの中でも特に、パッチアンテナ、指向性アンテナ、全方向性アンテナ、ビームアンテナ、スロットアンテナ、モノポールアンテナまたはダイポールアンテナを含んでよい。アンテナ１９２は、ＺＩＦダウンコンバータ１０６に結合されてＲＦ信号１１０を受信してよい。【００２７】  先に述べた構成要素のいずれもソフトウェアにおける実施形態を含む多くの方法で実施されてよい。したがって、装置１００は、ＺＩＦダウンコンバータ１０６、信号１１０、１１２、１１４、１４９、１５０、１５２、ＬＮＡステージ１１１、可変選択性フィルタ１１３、アップコンバータ１１５、ミキサ１１６、１２０、１２２、１２４、ＬＯ１１７、１３２、高ＩＦフィルタ１１８、直角位相発生器１３０、ローパスフィルタ１３６、１３８、バンド幅アラインメントモジュール１４０、ＡＤＣ１４４、１４６、１４８、パラレルシリアルコンバータ１５１、ＤＳＰ１５５、直角位相クロストーク補正モジュール１５６、チャネル・デローテーション・モジュール１６０、チャネルフィルタ１６２、デジタル直角位相変調器１６６、ＤＡＣ１６８、１７０、１７１、１７６、１７８、アナログＩＦ信号１６９、１７３、１７７、１７９、直角位相変調器１７２、デジタル実装アナログ復調器１７４、システム１９０、および、アンテナ１９２は、本願明細書中、すべて「モジュール」として特徴付けられる。【００２８】  モジュールは、装置１００およびシステム１９０の設計者に望まれるような、そして、様々な実施形態の特定の実施態様に適するような、ハードウェア回路、シングルまたはマルチプロセッサ回路、メモリ回路、ソフトウェアプログラムモジュールおよびオブジェクト、ファームウェア、および、それらの組み合わせを含み得る。【００２９】  様々な実施形態の装置およびシステムは、半導体集積化が可能なマルチ基準ＺＩＦチューナ以外の用途においても有益であり得る。したがって、本発明の様々な実施形態は、それほど限定されない。装置１００およびシステム１９０の具体例は、様々な実施形態の構造の一般的理解を提供することを意図される。それらは、本願明細書中に記載された構造を使用するかもしれない装置およびシステムのすべての要素および特徴の完全な説明としての役割を果たすよう意図されてはいない。【００３０】  様々な実施形態の新規の装置およびシステムを含む用途は、高速コンピュータで用いられる電子回路、通信および信号処理回路、モデム、シングルまたはマルチプロセッサモジュール、シングルまたはマルチ埋込み型プロセッサ、マルチコアプロセッサ、データスイッチ、および、マルチレイヤー、マルチチップモジュールを含む用途特定モジュールを含む。このような装置およびシステムは、テレビ、携帯電話、パソコン（ラップトップコンピュータ、デスクトップコンピュータ、ハンドヘルドコンピュータ、タブレットコンピュータなど��、ワークステーション、ラジオ、ビデオプレーヤ、オーディオプレーヤ（例えばＭＰ３（Ｍｏｔｉｏｎ  Ｐｉｃｔｕｒｅ  Ｅｘｐｅｒｔｓ  Ｇｒｏｕｐ、Ａｕｄｉｏ  Ｌａｙｅｒ  ３）プレーヤ）、車両、医療機器（心臓モニタ、血圧計など）、セットトップボックス、などの様々な電子システム内のサブコンポーネントとしてさらに含まれてもよい。いくつかの実施形態は、多数の方法を含み得る。【００３１】  図２Ａおよび２Ｂは、様々な実施形態に従ういくつかの方法を示すフローチャートである。方法２００は、ブロック２０５において次のステージからフィードバックされるＡＧＣ信号に従いＲＦチューナにおいて受信されたＲＦ信号を変調することにより開始されてよい。方法２００は、続いて、ブロック２０９で受信されたＲＦ信号を選択的にフィルタリングする。受信されたＲＦ信号は、周波数変換プロセスに先立ち、１つまたはそれ以上の干渉チャネルを除去すべく選択的にフィルタリングされてよい。その結果フィルタリングされた受信ＲＦ信号となる。方法２００は、続いて、ブロック２１３でフィルタリングされた受信ＲＦ信号をＺＩＦ信号に周波数変換する。ＺＩＦ信号は、Ｉベクトル信号およびＱベクトル信号を含み得る。いくつかの実施形態では、周波数変換プロセスは、望ましいチャネルから１つまたはそれ以上の干渉成分を取り除くよう動作することができる。例えば、望ましいチャネルの第３および第５の調波周波数領域におけるスペクトルエネルギーは、減衰されてよい。【００３２】  方法２００は、ブロック２１７において、Ｉベクトル信号、Ｑベクトル信号、または、両方を対称的にフィルタリングすることを含んでよい。Ｉベクトル信号および／またはＱベクトル信号は、次のＡＤＣステージにおける量子化雑音を最小限にすべく対称的にフィルタリングされることができる。量子化雑音は、次のＡＤＣステージに提示される複合エネルギーのレベルを低下させることにより最小限にされる。【００３３】  方法２００は、ブロック２１９において、Ｉベクトル信号に対しＡＤＣ動作を実行してデジタル化Ｉベクトル信号を得ること、および／またはＱベクトル信号に対しＡＤＣ動作を実行してデジタル化Ｑベクトル信号を得ることも含み得る。方法２００は、ブロック２２１において、デジタル化Ｉベクトル信号、デジタル化Ｑベクトル信号、または、両方を直角位相補正することをさらに含んでよい。デジタル化Ｉベクトル信号およびデジタル化Ｑベクトル信号は、直角位相補正されることにより、ゲインアーチファクトおよび／または位相アーチファクトが除去される。これらアーチファクトは、前のミキサステージまたは前のフィルタステージにより導かれる直角位相アンバランスにより生じる。【００３４】  方法２００は、続いて、ブロック２２７でデジタル化Ｉベクトル信号、デジタル化Ｑベクトル信号、または、両方をチャネル・デローテーションする。信号がデローテーションされることにより、ゼロ周波数位置から望ましいチャネルの周波数オフセットを取り除くことができる。方法２００は、ブロック２３１において、デジタル化Ｉベクトル信号、デジタル化Ｑベクトル信号、または、両方に対しＤＳＰに基づくチャネルフィルタリング動作を実行することも含��得る。【００３５】  図２Ｂに戻り、方法２００は、ブロック２３３において、デジタル変調モードが選択されているかどうかを決定することを検査してもよい。もしそうであれば、方法２００は、ブロック２３４において、デジタル領域またはアナログ領域内で直角位相再結合が要求されているかどうか決定することをさらに検査してよい。直角位相再結合がデジタル領域で要求されている場合、方法２００は、ブロック２３５の直角位相変調動作においてデジタル化Ｉベクトル信号およびデジタル化Ｑベクトル信号を再結合することを含み得る。デジタル化Ｉベクトル信号およびデジタル化Ｑベクトル信号が再結合されることにより、複合デジタル信号が得られる。ブロック２３９において、デジタルアナログ変換動作が複合デジタル信号に対し実行されることにより、第１のアナログＩＦ出力信号が得られる。【００３６】  直角位相再結合がアナログ領域で要求される場合、方法２００は、ブロック２４０において、デジタル化Ｉベクトル信号にデジタルアナログ変換動作を実行して被処理アナログＩベクトル信号を得、デジタル化Ｑベクトル信号にデジタルアナログ変換動作を実行して被処理アナログＱベクトル信号を得ることを含んでよい。方法２００は、ブロック２４１において、被処理アナログＩベクトル信号および被処理アナログＱベクトル信号を直角位相結合することにより、第２のアナログＩＦ出力信号を得ることも含み得る。【００３７】  いくつかの実施形態では、直角位相結合およびデジタルアナログ変換動作は、プログラム可能なＩＦ周波数のアナログＩＦ出力信号を生成できるようにしてもよい。このような実施形態は、次のＩＦステージの必要条件に適応できる周波数でのアナログＩＦ出力信号の配置を可能にする。【００３８】  ブロック２３３に戻り、ブロック２４３において、デジタル変調モードが選択されない場合、方法２００は、動作のＱＳＳまたは同様のモードが選択されているかどうかを決定してよい。選択されている場合、方法２００は、ブロック２４５において、デジタル化Ｉベクトル信号およびデジタル化Ｑベクトル信号のコンポジットに対し、デジタル実装アナログ復調動作を実行することも含み得る。デジタル実装アナログ復調動作によりデジタル化ビデオＩＦ出力信号、および、デジタル化オーディオＩＦ出力信号を得ることができる。方法２００は、また、ブロック２４９において、デジタル化ビデオＩＦ出力信号およびデジタル化オーディオＩＦ出力信号に対しデジタルアナログ変換動作を実行することも含み得る。その結果、アナログビデオＩＦ出力信号およびアナログオーディオＩＦ出力信号が生じる。【００３９】  本願明細書中に記載された動作は、記載された以外の順序でも実行できる。さらに、本願明細書において特定される方法に関し記載された様々な動作は、繰り返し、連続して、あるいは、並行して実行されてよい。【００４０】  コンピュータによるシステムにおけるコンピュータ可読媒体からソフトウェアプログラムが実行されることにより、そのソフトウェアプログラムにおいて定義される機能を実行することができる。様々なプログラミング言語が用いられることにより、本願明細書中に記載された方法を実施および実行するよう設計さ��たソフトウェアプログラムを作成することができる。プログラムは、ＪａｖａまたはＣ＋＋のようなオブジェクト指向言語を用いたオブジェクト指向フォーマットで構築されてよい。あるいは、プログラムは、アセンブリまたはＣなどの手続き型言語を用いた手続き指向フォーマットで構築されてもよい。ソフトウェアコンポーネントは、アプリケーションプログラムインターフェース、または、リモートプロシージャコールを含むプロセス間通信技術など、当業者によく知られている多数の機構を用いて通信してよい。様々な実施形態の教示は、特定のプログラミング言語または環境に限定されない。したがって、以下の図３に関連して説明するように、他の実施形態も実現し得る。【００４１】  図３は、本発明の様々な実施形態に従う、コンピュータ可読媒体（ＣＲＭ）３００のブロック図である。このような実施形態の例は、メモリシステム、磁気または光ディスク、あるいは、他の記憶デバイスを含み得る。ＣＲＭ３００は、アクセスされると、１つまたはそれ以上のプロセッサ３１０に上記の方法２００に関連して説明された動作を含む、上述の動作のいずれかを実行させる命令３０６を含んでよい。【００４２】  本願明細書中に記載される装置、システム、および、方法を実施することにより、ＺＩＦ変換技術、デジタル制御選択性フィルタリング、および、ＤＳＰ信号欠陥処理を利用して半導体集積化が可能なマルチ基準チューナを得ることができる。【００４３】  本発明の実施形態は、有線または無線システムの一部として実施されてもよい。複数の例は、また、これに限定されないが、無線パーソナル・エリア・ネットワーク（ＷＰＡＮ）、無線ＬＡＮ（ＷＬＡＮ）、無線メトロポリタンエリアネットワーク（ＷＭＡＮ）、無線広域ネットワーク（ＷＷＡＮ）、携帯電話ネットワーク、第三世代（３Ｇ）ネットワーク、第四世代（４Ｇ）ネットワーク、ユニバーサル移動電話システム（ＵＭＴＳ）、および、同様の通信システム内で使用できるようなマルチキャリア無線通信チャネル（直交周波数分割多重（ＯＦＤＭ）、離散マルチトーン（ＤＭＴ）など）を含む実施形態も含んでよい。本願明細書の一部となる添付の図面は、発明の内容が実施され得る特定の実施形態を示すが、これに限定されない。例示される実施形態は、本願明細書中に開示される教示を当業者が実施するには十分詳しく記載されている。構造的および論理的代替および変更が本開示の範囲から逸脱せずになされるよう、他の実施形態が利用され、導き出される。したがって、詳細な説明は、限定的な意味合いで取られるのではなく、本発明の範囲は、添付の請求項に適用される均等論のすべての範囲を伴い、請求項によってのみ定義される。【００４４】  発明の主題のこのような実施形態は、本願明細書中、便宜上、個別にあるいは集合的に「発明」と呼ばれているが、実際に複数の発明あるいは発明概念が開示されている場合、本出願の範囲をいずれか１つの発明または発明概念に自発的に限定することを意図するものではない。したがって、本願明細書中特定の実施形態が例示され、説明されてきたが、同じ目的を達成すべく計算されたいかなる配置でも、示されている特定の実施形態に置き換えられる。本開示は、様々な実施形態のいずれかのあるいはすべての改作あるいは変更をカバーするよう意図される。上記説明を検討すれば、上記実施形態の組み合わせ、および、本願明細書中に特に記載されていない他の実施形態も当業者にとっては明らかになるであろう。【００４５】  要約書は、技術的開示の性質を読者にすばやく確認できるようにすることを要約に求める、米国特許施行規則１．７２（ｂ）に従っている。それは、請求項の範囲および趣旨を解釈あるいは限定するために用いられるのではないという了解の下で提出される。先に述べた詳細な説明において、開示を合理化する目的で、様々な特徴が単一の実施形態にまとめられている。開示の方法は、各請求項にはっきりと明示されるより多くの特徴を要求するように解釈されるべきでない。むしろ、含まれる発明の主題は、単一の開示された実施形態のすべての特徴より少なくてよい。したがって、個別の実施形態としてそれぞれ個別に成り立っている添付の請求項は、本願明細書中、詳細な説明に組み込まれる。
【図面の簡単な説明】
【００４６】
【図１Ａ】は、様々な実施形態に従う装置および代表的なシステムのブロック図である。
【００４７】
【図１Ｂ】は、図１Ａのブロック図の続きである。
【００４８】
【図２Ａ】は、様々な実施形態に従ういくつかの方法を示すフローチャートである。
【００４９】
【図２Ｂ】は、図２Ａのフローチャートの続きである。
【００５０】
【図３】は、様々な実施形態に従うコンピュータ可読媒体のブロック図である。
【図１Ａ】
2008104157.tif 000003
【図１Ｂ】
2008104157.tif 000004
【図２Ａ】
2008104157.tif 000005
【図２Ｂ】
2008104157.tif 000006
【図３】
2008104157.tif 000007
【外国語明細書】
2008104157.tif 000008
2008104157.tif 000009
2008104157.tif 000010
2008104157.tif 000011
2008104157.tif 000012
2008104157.tif 000013
2008104157.tif 000014
2008104157.tif 000015
2008104157.tif 000016
2008104157.tif 000017
2008104157.tif 000018
2008104157.tif 000019
2008104157.tif 000020
2008104157.tif 000021
2008104157.tif 000022
2008104157.tif 000023
2008104157.tif 000024
2008104157.tif 000025
2008104157.tif 000026
2008104157.tif 000027
2008104157.tif 000028
2008104157.tif 000029
2008104157.tif 000030
2008104157.tif 000031
2008104157.tif 000032